(57)【要約】      （修正有）【課題】指紋認識精度の高い指紋認証機能を内蔵したＩＣカードを提供する。【解決手段】回路基板１と電池ユニット２とを含む指紋認証機能を内蔵したＩＣカードであって、回路基板１は、指紋認識モジュール１１とマイクロプロセッサ１２とチップモジュール１３とを設け、指紋認識モジュール１１とマイクロプロセッサ１２とチップモジュール１３とを複数の回路線パターン１４を通じて電気的に接続することにより構成される。また、電池ユニット２は、回路基板１と電気的に接続され、回路基板１に電力を供給するために用いられる。指紋認識モジュール１１を内蔵したこと、更に望ましくは、指紋認識モジュール１１を、２組の指紋認識チップ１１１、１１２で構成したことにより、指紋認識精度を向上させ、ＩＣカード全体の安全性を向上させることができる。【選択図】図１
0003201473.tif 000002
【実用新案登録請求の範囲】
【請求項１】
指紋認識モジュールとマイクロプロセッサとチップモジュールとを設け、前記指紋認識モジュールと前記マイクロプロセッサと前記チップモジュールとを複数の回路線パターンを通じて電気的に接続してなる回路基板と、
前記回路基板と電気的に接続され、電力を供給する電池ユニットと、
を含むことを特徴とする指紋認証機能を内蔵したＩＣカード。
【請求項２】
前記指紋認識モジュールは、第１指紋認識チップと第２指紋認識チップとを備え、前記第１、２指紋認識チップが隣接して設けられることを特徴とする請求項１に記載の指紋認証機能を内蔵したＩＣカード。
【請求項３】
前記指紋認識モジュールは、第１指紋認識チップと第２指紋認識チップとを備え、前記第１、２指紋認識チップが前記回路基板の上下側に各々設けられることを特徴とする請求項１に記載の指紋認証機能を内蔵したＩＣカード。
【請求項４】
前記チップモジュールと電気的に接続され、外部信号をセンサシングすると共に少なくとも１個の外部装置とリンクデータの送信を行うセンサシングアンテナを更に備えることを特徴とする請求項１に記載の指紋認証機能を内蔵したＩＣカード。
【請求項５】
前記センサシングアンテナは、前記回路基板上に印刷され、無線通信による識別技術（ＲＦＩＤ：radio frequency identifier）を用いて前記外部装置と互いにセンサシングすることを特徴とする請求項４に記載の指紋認証機能を内蔵したＩＣカード。
【請求項６】
ケーシングを更に備え、前記ケーシングは、収容空間と、前記収容空間に連通する複数のスルーホールとを有し、前記回路基板及び前記電池ユニットが前記収容空間内に収容され、また前記回路基板のチップモジュール及び前記指紋認識モジュールが前記スルーホールの位置と互いに対応して設けられることを特徴とする請求項１に記載の指紋認証機能を内蔵したＩＣカード。
【考案の詳細な説明】
【技術分野】
【０００１】
本考案は、指紋認証機能を内蔵したＩＣカードに関し、特に、指紋認識精度をアップできる指紋認証機能を内蔵したＩＣカードに関する。
【背景技術】
【０００２】
現代社会ではすでに大量の通貨取引が電子化され、クレジットカード以外に、例えば電子財布、ポイントカード、イージーカード等といった各種小額決済手段を利用することにより、ユーザが外出する時、小銭を持つことなく公共交通機関に搭乗できるだけでなく、更に様々な商店でショッピングすることもできる。また、現金ボーナスポイントを貯めたり、キャンペーンでのポイントを貯めたり、或いは電子レシートをチップを介して保存することもできるようになって、より一層便利となり、直接現金消費と相殺できるだけでなく、ネットワーク接続を通じて台湾又は外国の商店を問わず通用できるようになっている。
【０００３】
ただ、ＩＣカードは、使用上便利であるが、スキミングされたり、或いは紛失した際に氏名を他人に冒用される等の問題が生じやすく、そのため、現段階において、各銀行はこの種の電子オーソリ取引（「オーソリ」は「オーソリゼーション」の略称。本願において同様。）に関しては、オンラインランダムパスワードをユーザの携帯電話に送ってから、そのランダムパスワードを入力させることにより、これを取引承認キーとし、ユーザ本人以外の者（以下、「非ユーザ本人」という。）に対する取引承認を防止するようにしている。また、指紋認証機能を内蔵したＩＣカードを提供する業者もおり、その場合、指紋認識でユーザ本人と確認された場合のみ、該チップにオーソリして取引を行うことができるようになっている。
【０００４】
しかしながら、指紋認証機能を内蔵したＩＣカードにも欠点があり、ユーザの手が湿りすぎている時や、手の温度が低すぎる時などには、指紋を判読できなかったり、判読精度に影響を及ぼし、これ以外にも、１０万分の１の確率でユーザ本人でなくてもユーザ本人と誤判定されてしまうという問題が指摘されている。したがって、その判読精度の改良が必要であった。
【考案の概要】
【考案が解決しようとする課題】
【０００５】
そこで、上記従来技術の欠点を解決するため、本考案は、指紋認識の精度をアップできる指紋認証機能を内蔵したＩＣカードを提供することを主な目的とする。
【課題を解決するための手段】
【０００６】
上記目的を達成するため、本考案は、指紋認識モジュールとマイクロプロセッサとチップモジュールとを設け、前記指紋認識モジュールと前記マイクロプロセッサと前記チップモジュールとを複数の回路線パターンを通じて電気的に接続してなる回路基板と、前記回路基板と電気的に接続され、電力を供給する電池ユニットと、を含むことを特徴とする指紋認証機能を内蔵したＩＣカードを提供する。
【０００７】
前記指紋認識モジュールは、第１指紋認識チップと第２指紋認識チップとを更に備え、前記第１、２指紋認識チップが前記回路基板の一側又は両側に各々設けられ、また前記第１、２指紋認識チップのセンサシングを通じて各々生じた指紋認識信号データをマイクロプロセッサで比較し、且つそれら指紋認識信号データが均しく適合してからマイクロプロセッサによって前記ＩＣカードを駆動して作業を行うことができる。
【０００８】
本考案の好適な実施例においては、前記指紋認識モジュールは、第１指紋認識チップと第２指紋認識チップとを備え、前記第１、２指紋認識チップが隣接して設けられることを特徴とする。
【０００９】
本考案のもう１つの好適な実施例においては、前記指紋認識モジュールは、第１指紋認識チップと第２指紋認識チップとを備え、前記第１、２指紋認識チップが前記回路基板の上下側に各々設けられることを特徴とする。
【００１０】
本考案の好適な実施例においては、前記チップモジュールと電気的に接続され、外部信号をセンサシングすると共に少なくとも１個の外部装置とリンクデータの送信を行うセンサシングアンテナを更に備えることを特徴とする。
【００１１】
本考案の好適な実施例においては、前記センサシングアンテナは、前記回路基板上に印刷され、無線通信による識別技術（ＲＦＩＤ：radio frequency identifier）を用いて前記外部装置と互いにセンサシングすることを特徴とする。
【００１２】
本考案の好適な実施例においては、ケーシングを更に備え、前記ケーシングは、収容空間と、前記収容空間に連通する複数のスルーホールとを有し、前記回路基板及び前記電池ユニットが前記収容空間内に収容され、また前記回路基板のチップモジュール及び前記指紋認識モジュールが前記スルーホールの位置と互いに対応して設けられることを特徴とする。
【考案の効果】
【００１３】
本考案の指紋認証機能を内蔵したＩＣカードによるときは、指紋認識の精度をアップできると共に、氏名を非ユーザ本人が冒用してＩＣカードが悪用されるリスクを防止できる。
【図面の簡単な説明】
【００１４】
【図１】本考案の実施例１に係る指紋認証機能を内蔵したＩＣカードの立体分解図である。
【図２】本考案の実施例１に係る指紋認証機能を内蔵したＩＣカードのブロック図である。
【図３】本考案の実施例２に係る指紋認証機能を内蔵したＩＣカードの立体図である。
【図４】本考案の実施例３に係る指紋認証機能を内蔵したＩＣカードの断面図である。
【図５】本考案の実施例４に係る指紋認証機能を内蔵したＩＣカードの立体分解図である。
【考案を実施するための形態】
【００１５】
本考案の上記目的及びその構造と機能上の特性を添付図面の好ましい実施例に基づいて説明する。
【実施例１】
【００１６】
図１、図２を参照すると、本考案の実施例１に係る指紋認証機能を内蔵したＩＣカードの立体分解図及びブロック図である。図に示すように、本考案の指紋認証機能を内蔵したＩＣカードは、回路基板１と電池ユニット２とを含む。
【００１７】
該回路基板１には指紋認識モジュール１１とマイクロプロセッサ１２とチップモジュール１３とを設ける。該回路基板１は、前記指紋認識モジュール１１、マイクロプロセッサ１２、チップモジュール１３を載置する基材として使用され、また該指紋認識モジュール１１と該マイクロプロセッサ１２と該チップモジュール１３とが複数の回路線パターン１４を通じて電気的に接続され、それら回路線パターン１４が該回路基板１の少なくとも片側或いは両側に印刷される。該指紋認識モジュール１１は、その認識精度を向上させるため、第１指紋認識チップ１１１と第２指紋認識チップ１１２とを備える。前記第１、２指紋認識チップ１１１、１１２は図示した実施例では互いに隣接して設けられ、ユーザに対して人間工学的な方式での握り及び指紋認識のための使用に供される。
【００１８】
該電池ユニット２は、前記回路基板１と電気的に接続され、回路基板１に電力を供給するために用いられる。該第１、２指紋認識チップ１１１、１１２及びマイクロプロセッサ１２は電力で駆動されることで、指紋の認識や判読を行うため、該電池ユニット２はそれらに必要な電力を供給できる。
【００１９】
本実施例の回路基板１表面は、保護フィルム５を貼付することにより、該マイクロプロセッサ１２及びそれらの回路線パターン１４及び該電池ユニット２を保護できる。該保護フィルム又はシールは、該チップモジュール１３と該指紋認識モジュール１１を設けた箇所は覆わない。
【実施例２】
【００２０】
図３を参照すると、本考案の実施例２に係る指紋認証機能を内蔵したＩＣカードの立体図である。図に示すように、本実施例の一部構造は、前記実施例１と同一のためそれらの説明はここでは省略するが、本実施例と前記実施例１との相違点は、前記チップモジュール１３と電気的に接続され、外部信号をセンサシングすると共に少なくとも１個の外部装置（図示略）とリンクデータの送信を行うセンサシングアンテナ４を更に備えることである。該センサシングアンテナ４は該回路基板１上に印刷され、無線通信を使った識別技術（ＲＦＩＤ：radio frequency identifier）を用いて該外部装置と互いにセンサシングする。
【実施例３】
【００２１】
図４を参照すると、本考案の実施例３に係る指紋認証機能を内蔵したＩＣカードの断面図である。図に示すように、本実施例の一部構造は、前記実施例１と同一であるため、ここではその説明を省略するが、本実施例と前記実施例１との相違点は、該指紋認識モジュール１１が第１指紋認識チップ１１１と第２指紋認識チップ１１２を備え、これらの第１、２指紋認識チップ１１１、１１２が該回路基板１の上下両側に各々設けられることである。
【実施例４】
【００２２】
図５を参照すると、本考案の実施例４に係る指紋認証機能を内蔵したＩＣカードの立体図である。図に示すように、本実施例の一部構造は、前記実施例１と同一であるため、ここではその説明を省略するが、本実施例と前記実施例１との相違点は、ケーシング３を更に備えることである。前記ケーシング３は収容空間３１と、該収容空間３１に連通する複数のスルーホール３２を備え、該回路基板１及び該電池ユニット２が該収容空間３１内に収容され、また該回路基板１のチップモジュール１３及び該指紋認識モジュール１１が前記スルーホール３２の位置と互いに対応していることにより、露出するようになっている。
【００２３】
本考案は、主にユーザの指を通じて指紋認識を行う時、前記第１、２指紋認識チップ１１１、１１２が同時に指紋認識作業を行い、その後更に認識したデータをマイクロプロセッサ１２に伝送して判読し、データが該マイクロプロセッサ１２を通じてユーザの指紋データと一致すると判読した時（該指紋認識データは該第１、２指紋認識チップ１１１、１１２でセンサシングしたデータが同時に一致しなければならない）、マイクロプロセッサ１２が別の信号をチップモジュール１３に送信し、該チップモジュール１３にオーソリして取引を行うことができる。
【００２４】
本考案のチップモジュール１３は、無線通信を使った識別技術（ＲＦＩＤ）を通じて該外部装置と互いにセンサシングして取引を行うことができ、又はチップモジュール１３を通じて直接外部装置に接触させ、電気的に接続して取引を行うことができる。
【産業上の利用可能性】
【００２５】
本考案の指紋認証機能を内蔵したＩＣカードの指紋認識モジュール１１は、第１、２指紋認識チップ１１１、１１２を備え、これら２組の第１、２指紋認識チップ１１１、１１２を用いることにより認識精度をアップできる。従来の指紋認識チップは、１組の指紋認識チップのみしか有さないため、容易に誤判定が生じると共に、何度も繰り返して指紋認識操作を行うと、容易に認識に成功したと判断された場合、その指紋認識精度が低くなり、オーソリの安全性が著しく低下する。本考案では主に第１、２指紋認識チップ１１１、１１２を設けることで２組の異なる指紋認識データを提供し、且つ２組の指紋認識データが同時に一致してからマイクロプロセッサ１２を通じてＩＣカードにオーソリして取引を行うことができ、また２組の指紋認識チップの判読データが必ず同時に一致しなければならないため、乱数で繰り返し試めして成功したと判定することが難しく、且つその指紋認識データが従来の１組の指紋認識チップに比べてより一層複雑となるが、認識精度が相対的により一層高くなるため、ＩＣカードの取引の安全性を大幅に向上させることができる。
【符号の説明】
【００２６】
１      回路基板
１１    指紋認識モジュール
１１１  第１指紋認識チップ
１１２  第２指紋認識チップ
１２    マイクロプロセッサ
１３    チップモジュール
１４    回路線パターン
２      電池ユニット
３      ケーシング
３１    収容空間
３２    スルーホール
４      センサシングアンテナ
５      保護フィルム
【図１】
0003201473.tif 000003
【図２】
0003201473.tif 000004
【図３】
0003201473.tif 000005
【図４】
0003201473.tif 000006
【図５】
0003201473.tif 000007